(57)【要約】【課題】バッテリーを確実に装着しつつ操作性の向上を図る上で有利な電子機器を提供する。【解決手段】バッテリー装着部３０のバッテリー装着用凹部４０内に互いに独立して出没可能に２つの係合部材４６Ａ、４６Ｂを設け、２つの係合部材４６Ａ、４６Ｂのうちの一方の係合部材が２種類のバッテリー３２Ａ、３２Ｂのうちの一方のバッテリーに係合してバッテリー側接続端子が一方の機器側接続端子から外れる方向への一方のバッテリーの移動を阻止し、２つの係合部材４６Ａ、４６Ｂのうちの他方の係合部材が、２種類のバッテリー３２Ａ、３２Ｂのうちの他方のバッテリーに係合してバッテリー側接続端子が他方の機器側接続端子から外れる方向への他方のバッテリーの移動を阻止するようにした。【選択図】図１３
2008311105.tif 000002
【特許請求の範囲】
【請求項１】
２種類のバッテリーが選択的に装着されるバッテリー装着部を有する電子機器であって、
前記バッテリー装着部は、
バッテリー装着用凹部と、
前記バッテリー装着用凹部の互いに異なった箇所にそれぞれ設けられ前記バッテリーのバッテリー側接続端子に装脱する機器側接続端子と、
前記バッテリー装着用凹部内で前記各機器側接続端子と異なった箇所にそれぞれ設けられ前記バッテリー装着用凹部内に互いに独立して出没可能な２つの係合部材と、
前記２つの係合部材を前記バッテリー装着用凹部内に突出する方向に個別に付勢する付勢部材と、
前記２つの係合部材を前記バッテリー装着用凹部内からバッテリー装着用凹部外へ退避させる単一の操作部材とを備え、
前記２つの係合部材のうちの一方の係合部材は、前記２種類のバッテリーのうちの一方のバッテリーの前記バッテリー側接続端子が前記２つの機器側接続端子のうちの一方に装着された状態で前記一方のバッテリーに係合して前記バッテリー側接続端子が前記一方の機器側接続端子から外れる方向への前記一方のバッテリーの移動を阻止し、
前記２つの係合部材のうちの他方の係合部材は、前記２種類のバッテリーのうちの他方のバッテリーの前記バッテリー側接続端子が前記２つの機器側接続端子のうちの他方に装着された状態で前記他方のバッテリーに係合して前記バッテリー側接続端子が前記他方の機器側接続端子から外れる方向への前記他方のバッテリーの移動を阻止する、
ことを特徴とする電子機器。
【請求項２】
前記２種類のバッテリーのうちの一方のバッテリーの前記バッテリー側接続端子が前記２つの機器側接続端子のうちの一方に装着された状態で、前記２つの係合部材のうちの他方の係合部材は前記一方のバッテリーに当接し前記付勢部材の付勢力に抗して前記バッテリー装着用凹部外に退避する方向に移動され、
前記２種類のバッテリーのうちの他方のバッテリーの前記バッテリー側接続端子が前記２つの機器側接続端子のうちの他方に装着された状態で、前記２つの係合部材のうちの一方の係合部材は前記他方のバッテリーに当接し前記付勢部材の付勢力に抗して前記バッテリー装着用凹部外に退避する方向に移動される、
ことを特徴とする請求項１記載の電子機器。
【請求項３】
前記バッテリー装着用凹部は、高さおよび深さ並びに幅を有し、
前記機器側接続端子は、前記バッテリー装着用凹部の幅方向に間隔をおいた箇所にそれぞれ設けられ、
前記２つの係合部材は、前記バッテリー装着用凹部内で前記各機器側接続端子から前記幅方向に間隔をおいた箇所にそれぞれ設けられている、
ことを特徴とする請求項１記載の電子機器。
【請求項４】
前記バッテリー装着用凹部は、高さおよび深さ並びに幅を有し、
前記機器側接続端子は、前記バッテリー装着用凹部の幅方向に間隔をおいた箇所にそれぞれ設けられ、
前記２つの係合部材は、前記バッテリー装着用凹部内で前記各機器側接続端子から前記幅方向に間隔をおいた箇所にそれぞれ設けられ、
前記機器側接続端子は、前記バッテリーが前記幅方向に移動することで前記バッテリー側接続端子と装脱し、
前記２つの係合部材は、前記バッテリー装着用凹部内で前記バッテリー装着用凹部の深さ方向において前記バッテリー装着用凹部内に出没可能でかつ前記幅方向に移動不能に設けられている、
を備えることを特徴とする請求項１記載の電子機器。
【請求項５】
前記バッテリー装着用凹部は、高さおよび深さ並びに幅を有し、
前記機器側接続端子は、前記バッテリーが前記幅方向に移動することで前記バッテリー側接続端子と装脱し、
前記バッテリー装着用凹部内に設けられ前記バッテリー側接続端子が前記機器側接続端子に装着した状態で前記バッテリーの前記バッテリー装着用凹部の高さ方向および深さ方向における移動を不能とするガイド壁をさらに備える、
ことを特徴とする請求項１記載の電子機器。
【請求項６】
前記バッテリー装着用凹部は、高さおよび深さ並びに幅を有し、
前記２つの係合部材は、前記バッテリー装着用凹部内で前記バッテリー装着用凹部の深さ方向において前記バッテリー装着用凹部内に出没可能に設けられ、
前記バッテリー装着用凹部内に前記バッテリー側接続端子が前記機器側接続端子に装着した状態で前記バッテリーの前記バッテリー装着用凹部の深さ方向における移動を不能とするガイド壁が設けられ、
前記付勢部材は前記２つの係合部材を前記深さ方向で前記バッテリー装着用凹部内に突出する方向に付勢しており、
前記２種類のバッテリーのうちの一方のバッテリーの前記バッテリー側接続端子が前記２つの機器側接続端子のうちの一方に装着された状態で、前記２つの係合部材のうちの他方の係合部材は前記一方のバッテリーに当接し前記付勢部材の付勢力に抗して前記深さ方向で前記バッテリー装着用凹部外に退避する方向に移動され、
前記２種類のバッテリーのうちの他方のバッテリーの前記バッテリー側接続端子が前記２つの機器側接続端子のうちの他方に装着された状態で、前記２つの係合部材のうちの一方の係合部材は前記他方のバッテリーに当接し前記付勢部材の付勢力に抗して前記深さ方向で前記バッテリー装着用凹部外に退避する方向に移動される、
ことを特徴とする請求項１記載の電子機器。
【請求項７】
前記バッテリー装着用凹部は、前記バッテリー装着用凹部の深さ方向の端部に位置する底壁を有し、
前記底壁に２つの第１係合部材用孔が形成され、
前記２つの係合部材は前記２つの第１係合部材用孔から前記バッテリー装着用凹部内に出没する、
ことを特徴とする請求項４記載の電子機器。
【請求項８】
前記バッテリー装着用凹部は、前記バッテリー装着用凹部の深さ方向の端部に位置する底壁を有し、
前記底壁に２つの第１係合部材用孔が形成され、
前記２つの係合部材はそれぞれ前記２つの第１係合部材用孔から前記バッテリー装着用凹部内に出没し、
前記底壁は、前記バッテリー装着用凹部に臨む表面と、前記表面と反対に位置する裏面とを有し、
前記２つの係合部材を前記バッテリー装着用凹部内に突出する方向に付勢する付勢部材が前記裏面に設けられている、
ことを特徴とする請求項４記載の電子機器。
【請求項９】
前記バッテリー装着用凹部は、前記バッテリー装着用凹部の深さ方向の端部に位置する底壁を有し、
前記底壁に２つの第１係合部材用孔が形成され、
前記２つの係合部材はそれぞれ前記２つの第１係合部材用孔から前記バッテリー装着用凹部内に出没し、
前記底壁は、前記バッテリー装着用凹部に臨む表面と、前記表面と反対に位置する裏面とを有し、
前記裏面に、前記２つの係合部材を前記出没する方向に案内するガイドがそれぞれ設けられている、
ことを特徴とする請求項４記載の電子機器。
【請求項１０】
前記バッテリー装着用凹部は、その深さ方向の端部に位置する底壁を有し、
前記底壁は、前記バッテリー装着用凹部に臨む表面と、前記表面と反対に位置する裏面とを有し、
前記裏面から前記表面に向かう方向に前記操作部材を付勢する付勢部材が設けられている、
ことを特徴とする請求項１記載の電子機器。
【請求項１１】
前記バッテリー装着用凹部は、前記電子機器の筐体に取着されるバッテリー装着用ケースに設けられ、
前記バッテリー装着用凹部は、その深さ方向の一方の端部が前記バッテリーの装脱用の開口となっており、
前記操作部材は、前記開口の周囲の前記バッテリー装着用ケースの箇所に設けられている、
ことを特徴とする請求項１記載の電子機器。
【発明の詳細な説明】
【技術分野】
【０００１】
本発明はバッテリーが装脱される電子機器に関する。
【背景技術】
【０００２】
バッテリーが装脱可能に装着されるバッテリー装着部を有する電子機器が種々提供されている（特許文献１参照）。
このような電子機器として、図１７（Ａ）、（Ｂ）に示すように、端子形状や外形寸法が異なる２種類のバッテリーＢ１、Ｂ２の双方に充電が可能な充電装置９０が提供されている。
この充電装置９０は、２種類のバッテリーＢ１、Ｂ２が選択的に装着されるバッテリー装着部９２を備え、該バッテリー装着部９２の幅方向の両端に、２種類のバッテリー側接続端子に対応した機器側接続端子９４Ａ、９４Ｂがそれぞれ設けられている。
そして、２種類のバッテリーＢ１、Ｂ２のうち一方のバッテリーＢ１を充電する場合には、図１７（Ａ）に示すように、その一方のバッテリーＢ１をバッテリー装着部９２の幅方向の一方寄りの箇所に装着することでバッテリー側接続端子をそれに対応する一方の機器側接続端子９４Ａに接続させ、２種類のバッテリーのうち他方のバッテリーＢ２を充電する場合には、図１７（Ｂ）に示すように、その他方のバッテリーＢ２をバッテリー装着部９２の幅方向の他方寄りの箇所に装着することでバッテリー側接続端子をそれに対応する他方の機器側接続端子９４Ｂに接続させるようにしている。
【特許文献１】特開２００５−１９８４９９
【発明の開示】
【発明が解決しようとする課題】
【０００３】
このような２種類のバッテリーＢ１、Ｂ２が選択的に装着可能なバッテリー装着部９２を、携帯可能な電子機器に適用した場合、携帯に伴って発生する衝撃や振動が加わってもバッテリーの装着状態を確実に保持でき、言い換えると、バッテリー側接続端子と機器側接続端子との接続状態を確実に保持でき、かつ、バッテリーの装脱操作が容易であることが要求される。
本発明はこのような事情に鑑みなされたものであり、その目的はバッテリーを確実に装着しつつ操作性の向上を図る上で有利な電子機器を提供することにある。
【課題を解決するための手段】
【０００４】
上述の目的を達成するため、本発明は、２種類のバッテリーが選択的に装着されるバッテリー装着部を有する電子機器であって、前記バッテリー装着部は、バッテリー装着用凹部と、前記バッテリー装着用凹部の互いに異なった箇所にそれぞれ設けられ前記バッテリーのバッテリー側接続端子に装脱する機器側接続端子と、前記バッテリー装着用凹部内で前記各機器側接続端子と異なった箇所にそれぞれ設けられ前記バッテリー装着用凹部内に互いに独立して出没可能な２つの係合部材と、前記２つの係合部材を前記バッテリー装着用凹部内に突出する方向に個別に付勢する付勢部材と、前記２つの係合部材を前記バッテリー装着用凹部内からバッテリー装着用凹部外へ退避させる単一の操作部材とを備え、前記２つの係合部材のうちの一方の係合部材は、前記２種類のバッテリーのうちの一方のバッテリーの前記バッテリー側接続端子が前記２つの機器側接続端子のうちの一方に装着された状態で前記一方のバッテリーに係合して前記バッテリー側接続端子が前記一方の機器側接続端子から外れる方向への前記一方のバッテリーの移動を阻止し、前記２つの係合部材のうちの他方の係合部材は、前記２種類のバッテリーのうちの他方のバッテリーの前記バッテリー側接続端子が前記２つの機器側接続端子のうちの他方に装着された状態で前記他方のバッテリーに係合して前記バッテリー側接続端子が前記他方の機器側接続端子から外れる方向への前記他方のバッテリーの移動を阻止することを特徴とする。
【発明の効果】
【０００５】
本発明によれば、バッテリー装着部のバッテリー装着用凹部内に互いに独立して出没可能に設けた２つの係合部材を用いることにより、２種類のバッテリーの双方をバッテリー装着部に確実に装着できるので、電子機器を携帯する際のバッテリーの装着状態の安定性の向上を図る上で有利となり、また、単一の操作部材により各係合部材のバッテリーへの係合を解除するだけで簡単にバッテリーをバッテリー装着部からバッテリーを取り外すことができるので、操作性の向上を図る上で有利となる。
【発明を実施するための最良の形態】
【０００６】
（第１の実施の形態）
次に本発明の実施の形態について図面を参照して説明する。
図１は本実施の形態の電子機器１０のディスプレイパネルを開いた状態を示す斜視図、図２は電子機器１０のディスプレイパネルを閉じた状態を示す斜視図、図３は電子機器１０のバッテリー装着部３０を示す斜視図である。
本実施の形態では、電子機器１０は、ビデオカセットテープに記録されている映像を再生し、あるいは、映像の編集を行い、あるいは、ビデオカセットテープに映像を記録する携帯型のビデオテープレコーダである。
電子機器１０は、本体部１２と、本体部１２に連結されたディスプレイパネル１４とを備えている。
本体部１２は、外装を構成するほぼ矩形板状を呈する筐体１６を備えている。
筐体１６は、上方に臨む上面１６Ａと、下方に臨む下面１６Ｂと、左右側方に臨む左右の側面と、前方に臨む前面１６Ｃと、後方に臨む後面１６Ｄとを備え、後面１６Ｄに本発明に係るバッテリー装着部３０が設けられている。
本実施の形態では、図３に示すように、筐体１６の後部に、図７に示すバッテリー装着用ケース２９が取着され、筐体１６の後面１６Ｄがバッテリー装着用ケース２９で構成されている。
上面１６Ａの左半部には、ビデオカセットテープを装脱するための装脱口１８が設けられ、装脱口１８を開閉する開閉蓋２０が設けられている。
装脱口１８の内部にはビデオカセットテープの記録および／または再生を行う不図示の記録再生機構が設けられている。
上面１６Ａの右半部には、ビデオカセットの再生、編集を行う際に操作される再生ボタン、停止ボタン、ポーズボタン、早送りボタン、巻き戻しボタン、音量調整ボタン、あるいは、各種の設定を行うための設定ボタンを含む複数の操作ボタン２２が設けられている。
また、上面１６Ａの後部寄りの左右両側には音声を出力するスピーカー２４が設けられている。
【０００７】
ディスプレイパネル１４は、パネルケース２６と、液晶ディスプレイ２８とを備えている。
パネルケース２６は、筐体１６の上面１６Ａの大部分を覆う大きさの矩形板状を呈し、パネルケース２６の後部がヒンジ２７を介して筐体１６の後部に揺動可能に結合され、これにより、パネルケース２６は、図１に示すように上面１６Ａに対して開かれた使用位置と、図２に示すように上面１６Ａに重ね合わされた収納位置との間で開閉される。
パネルケース２６は、パネルケース２６が収納位置に位置した状態で、上方に臨む外面２６Ａと、外面２６Ａの反対側で上面１６Ａに臨む内面２６Ｂとを有し、内面２６Ｂには矩形状の開口２６Ｃが形成されている。
液晶ディスプレイ２８は、その表示面２８Ａが開口２６Ｃに臨むようにパネルケース２６に組み込まれ、液晶ディスプレイ２８の表示面２８Ａには、前記記録再生機構によってビデオカセットテープからの再生映像などが表示される。
【０００８】
次に、バッテリー装着部３０について説明する。
まず、バッテリー装着部３０に装着されるバッテリーから説明する。
図４はバッテリー装着部３０と第１のバッテリー３２Ａの斜視図、図５はバッテリー装着部３０と第２のバッテリー３２Ｂの斜視図である。
本実施の形態では、バッテリー装着部３０は２種類のバッテリーが装着可能に構成されている。
以下、説明の便宜上、２種類のバッテリーの一方を第１のバッテリー３２Ａといい、他方を第２のバッテリー３２Ｂという。
図４、図５に示すように、第１、第２のバッテリー３２Ａ、３２Ｂは、外装を構成するとともに不図示のバッテリーセルおよび制御基板を収容するケース３４Ａ、３４Ｂを備えている。
本実施の形態では、第１のバッテリー３２Ａのケース３４Ａと、第２のバッテリー３２Ｂのケース３４Ｂとは、高さＨおよび奥行きＤが同一の寸法で、第１のバッテリー３２Ａのケース３４Ａの幅Ｗは第２のバッテリー３２Ｂのケース３４Ｂの幅Ｗよりも大きな寸法で形成されている。
第１、第２のバッテリー３２Ａ、３２Ｂのケース３４Ａ、３４Ｂは、それぞれ奥行きＤ方向の一方の端面が底面３４０２Ａ、３４０２Ｂとなっている。
そして、前記制御基板に接続されたバッテリー側接続端子３６Ａ、３６Ｂがケース３４Ａ、３４Ｂの底面３４０２Ａ、３４０２Ｂの幅方向の一方の端部の箇所にそれぞれ設けられている。
前記バッテリーセルは、バッテリー側接続端子３６Ａ、３６Ｂおよび前記制御基板を介して充電電流が供給されることで充電され、また、バッテリー側接続端子３６Ａ、３６Ｂおよび前記制御基板を介して電子機器１０に電流を供給するものである。
前記制御基板は、前記バッテリーセルに接続され、前記バッテリーセルの充放電を制御するとともに、電子機器１０との間でバッテリーセルの残量を示すデータを通信するなどの機能を有するものである。
バッテリー側接続端子３６Ａ、３６Ｂは、前記充電電流を前記バッテリーセルに供給し、また、前記バッテリーセルからの放電電流を電子機器１０に供給するための電流供給用の端子と、前記制御基板と前記電子機器との間でデータを通信するためのデータ通信用の端子とを有している。
本実施の形態では、第１のバッテリー３２Ａのバッテリー側接続端子３６Ａと、第２のバッテリー３２Ｂのバッテリー側接続端子３６Ｂとでは、端子の数が同一であり、端子の形状と端子の配置位置が異なっている。
詳細には、第１のバッテリー３２Ａのバッテリー接続端子３６Ａは高さＨ方向に間隔をおいて３つ設けられ、第２のバッテリー３２Ｂのバッテリー接続端子３６Ｂは高さＨ方向に間隔をおいて３つ設けられている。
また、第１のバッテリー３２Ａのケース３４Ａの底面３４０２Ａの幅Ｗ方向の中間部で高さＨ方向の両側の箇所に、ケース３４Ａの幅Ｗ方向に間隔をおいて２つのガイド溝３８Ａがそれぞれ設けられ、合計４つのガイド溝３８Ａが設けられている。
また、第２のバッテリー３２Ｂのケース３４Ｂの底面３４０２Ｂの幅Ｗ方向の中間部で高さＨ方向の両側の箇所に、ケース３４Ｂの幅Ｗ方向に間隔をおいて３つのガイド溝３８Ｂがそれぞれ設けられ、合計６つのガイド溝３８Ｂが設けられている。
【０００９】
図６はバッテリー装着部３０の要部の拡大斜視図、図７、図８はバッテリー装着部３０の分解斜視図、図９は操作部材５０近傍の斜視図、図１０は操作部材５０近傍の平面図、図１１はバッテリー装着部３０の縦断面図、図１２は図１１のＡＡ線断面図、図１３（Ａ）、（Ｂ）、（Ｃ）はバッテリーの装脱動作の説明図である。
図７に示すように、バッテリー装着部３０はバッテリー装着用ケース２９に設けられ、図４、図６に示すように、バッテリー装着部３０は、バッテリー装着用凹部４０、機器側接続端子４２Ａ、４２Ｂ、ガイド壁４４、係合部材４６Ａ、４６Ｂ、コイルスプリング４８（図８）、操作部材５０、コイルスプリング５４（図８）を含んで構成されている。
【００１０】
バッテリー装着用凹部４０には、機器側接続端子４２Ａ、４２Ｂ、ガイド壁４４、操作部材用孔４００６、第１係合部材用孔４０１０などが設けられている。
図４、図５に示すように、バッテリー装着用凹部４０は、高さおよび深さ並びにそれら高さおよび深さよりも大きな寸法の幅を有している。
バッテリー装着用凹部４０の深さ方向の一方の端部は開口４００２として形成され、他方の端部には底壁４００４が位置している。
なお、底壁４００４は、バッテリー装着用凹部４０に臨む面が表面となっており、表面と反対に位置する面が裏面となっている。
操作部材用孔４００６は、開口４００２の周囲のバッテリー装着用ケース２９の上部の箇所に、前記深さ方向と平行する方向に形成されている。
【００１１】
機器側接続端子４２Ａ、４２Ｂは、バッテリー装着用凹部４０の互いに異なった箇所であり、また、バッテリー装着用凹部４０の幅方向に間隔をおいた箇所である底壁４００４の幅方向の両端寄りの箇所に設けられている。
すなわち、図４に示すように、第１のバッテリー３２Ａのバッテリー側接続端子３６Ａを一方の機器側接続端子４２Ａに向けた状態で、第１のバッテリー３２Ａのケース３４Ａの底面３４０２Ａを底壁４００４に当て付けつつ一方の機器側接続端子４２Ａに向けてバッテリー装着用凹部４０の幅方向にスライドすることで、一方の機器側接続端子４２Ａが第１のバッテリー３２Ａのバッテリー側接続端子３６Ａに接続されるように構成されている。
また、図５に示すように、第２のバッテリー３２Ｂのバッテリー側接続端子３６Ｂを他方の機器側接続端子４２Ｂに向けた状態で、第２のバッテリー３２Ｂのケース３４Ｂの底面３４０２Ｂを底壁４００４に当て付けつつ他方の機器側接続端子４２Ｂに向けてバッテリー装着用凹部４０の幅方向にスライドすることで、他方の機器側接続端子４２Ｂが第２のバッテリー３２Ｂのバッテリー側接続端子３６Ｂに接続されるように構成されている。
【００１２】
ガイド壁４４は、バッテリー装着用凹部４０内で底壁４００４の高さ方向の両端寄りに位置する上下の壁面箇所に設けられている。
ガイド壁４４は、第１、第２のバッテリー３２Ａ、３２Ｂのバッテリー側接続端子３６Ａ、３６Ｂが機器側接続端子４２Ａ、４２Ｂに装着した状態で第１、第２のバッテリー３２Ａ、３２Ｂのバッテリー装着用凹部４０の高さ方向および深さ方向における移動を不能とするものである。
本実施の形態では、図４に示すように、ガイド壁４４は、バッテリー装着用凹部４０の幅方向に間隔をおいた３箇所に設けられた第１、第２、第３ガイド壁４４０２、４４０４、４４０６で構成され、第１、第２、第３ガイド壁４４０２、４４０４、４４０６は底壁４００４の高さ方向の両端寄りにそれぞれ設けられていることから、ガイド壁４４は合計６つ設けられていることになる。
図４に示すように、２つの第１ガイド壁４４０２は、第１のバッテリー３２Ａの４つのガイド溝３８Ａのうち、バッテリー側接続端子３６Ａに近い側の２つのガイド溝３８Ａに係合し、これにより第１のバッテリー３２Ａのバッテリー装着用凹部４０の高さ方向および深さ方向における移動を不能としている。
図５に示すように、２つの第２ガイド壁４４０４および２つの第３ガイド壁４４０６は、第２のバッテリー３２Ｂの６つのガイド溝３８Ｂのうち、バッテリー側接続端子３６Ｂに近い側の２つのガイド溝３８Ａおよびその２つのガイド溝３８Ｂに隣接する２つのガイド溝３８Ｂにそれぞれ係合し、これにより第２のバッテリー３２Ｂのバッテリー装着用凹部４０の高さ方向および深さ方向における移動を不能としている。
【００１３】
図６、図１１、図１２に示すように、第１係合部材用孔４０１０は、バッテリー装着用凹部４０の高さ方向の端部（上部）における底壁４００４箇所に、幅方向に間隔をおいて２つ形成されている。
図７乃至図１０に示すように、各第１係合部材用孔４０１０の両側に位置する底壁４００４の裏面箇所に、係合部材４６Ａ、４６Ｂを案内するガイド壁４０１２が設けられ、また、第１係合部材用孔４０１０やガイド壁４０１２が設けられた箇所を含む周辺の箇所に板金プレート５２を取り付けるためのボス部４０１４が設けられている。
【００１４】
図６、図１１、図１２に示すように、係合部材４６Ａ、４６Ｂは、２つの第１係合部材用孔４０１０からそれぞれバッテリー装着用凹部４０内に互いに独立して出没するように設けられている。
図８、図１１、図１２に示すように、２つの係合部材４６Ａ、４６Ｂは、それぞれ第１係合部材用孔４０１０を通ってバッテリー装着用凹部４０内に出没する係合部４６０２Ａ、４６０２Ｂと、係合部４６０２Ａ、４６０２Ｂの端部にそれぞれ設けられた板状の係止部４６０２Ｃ、４６０２Ｄとを有している。
図１２に示すように、係合部４６０２Ａ、４６０２Ｂは、第１係合部材用孔４０１０およびガイド壁４０１２によりバッテリー装着用凹部４０の深さ方向に移動可能に案内され、かつ、バッテリー装着用凹部４０の幅方向に移動不能に設けられる。
【００１５】
２つの係合部材４６Ａ、４６Ｂのうちの一方の係合部材４６Ａは、２種類のバッテリー３２Ａ、３２Ｂのうちの一方のバッテリー３２Ａのバッテリー側接続端子３４Ａが２つの機器側接続端子４２Ａ、４２Ｂのうちの一方の機器側接続端子４２Ａに装着された状態で一方のバッテリー３２Ａに係合してバッテリー装着用凹部４０の幅方向でバッテリー側接続端子３４Ａが一方の機器側接続端子４２Ａから外れる方向への一方のバッテリー３２Ａの移動を阻止するように設けられている。また、一方のバッテリー３２Ａのバッテリー側接続端子３４Ａが一方の機器側接続端子４２Ａに装着された状態で、他方の係合部材４６Ｂは、一方のバッテリー３２Ａの底面３２０２Ａに当接し後述するコイルスプリング５４（付勢部材）の付勢力に抗してバッテリー装着用凹部４０外に退避する方向に移動されるように設けられている。
２つの係合部材４６Ａ、４６Ｂのうちの他方の係合部材４６Ｂは、２種類のバッテリー３２Ａ、３２Ｂのうちの他方のバッテリー３２Ｂのバッテリー側接続端子３４Ｂが２つの機器側接続端子４２Ａ、４２Ｂのうちの他方の機器側接続端子４２Ｂに装着された状態で他方のバッテリー４６Ｂに係合してバッテリー装着用凹部４０の幅方向でバッテリー側接続端子３４Ｂが他方の機器側接続端子４２Ｂから外れる方向への他方のバッテリー３２Ｂの移動を阻止するように設けられている。また、他方のバッテリー３２Ｂのバッテリー側接続端子３４Ｂが他方の機器側接続端子４２Ｂに装着された状態で、一方の係合部材４６Ａは、他方のバッテリー３２Ｂの底面３２０２Ｂに当接し後述するコイルスプリング５４（付勢部材）の付勢力に抗してバッテリー装着用凹部４０外に退避する方向に移動されるように設けられている。
【００１６】
図８、図９に示すように、操作部材５０は開口４００２の周囲のバッテリー装着用ケース２９の箇所である操作部材用孔４００６に深さ方向に移動可能に設けられた操作部５００２と、操作部５００２の端部に連結され底壁４００４の裏面に沿って延在し２つの第２係合部材用孔５００４が形成された係止板部５００６とを有している。
本実施の形態では、２つの係合部材４６Ａ、４６Ｂの係合部４６０２Ａ、４６０２Ｂは、それぞれ第１係合部材用孔４０１０および第２係合部材用孔５００４を通ってバッテリー装着用凹部４０内に出没し、２つの係合部材４６Ａ、４６Ｂの係止部４６０２Ｃ、４６０２Ｄは、第２係合部材用孔５００４の周囲の係止板部５００６箇所に係止する。
図９乃至図１２に示すように、コイルスプリング５４（付勢部材）は、板金プレート５２と２つの係合部材４６Ａ、４６Ｂの係止板部５００６との間に設けられ、それぞれそれら係合部材４６Ａ、４６Ｂを深さ方向でバッテリー装着用凹部４０内に突出する方向に互いに独立して付勢している。
本実施の形態では、操作部５００２は薄板状を呈し、図９、図１０に示すように、操作部５００２にはバッテリー装着用凹部４０の深さ方向に沿って延在する欠部５００８が形成され、コイルスプリング４８は、この欠部５００８内で操作部５００２の一端と、バッテリー装着用ケース２９に設けられた壁部との間に配設され、コイルスプリング４８は操作部材５０を底壁４００４の裏面から表面に向かう方向に付勢している。
したがって、バッテリー３２Ａ，３２Ｂがバッテリー装着用凹部４０内に装着されていない状態では、各コイルスプリング５４の付勢力により２つの係合部材４６Ａ，４６Ｂの係止部４６０２Ｃ、４６０２Ｄが操作部材５０の係止板部５００６に係止し、係合部４６０２Ａ，４６０２Ｂがバッテリー装着用凹部４０内に突出しており、この状態から操作部材５０が押圧されると、係止部４６０２Ｃ、４６０２Ｄ、係止板部５００６を介して２つの係合部材４６Ａ，４６Ｂは操作部材５０に追従して前記深さ方向おいて同時に移動されることになる。
【００１７】
なお、本実施の形態では、図１４乃至図１６に示すように、筐体１６の下面１６Ｂで、バッテリー装着用ケース２９が設けられる箇所と反対に位置する下面１６Ｂの前端から後面１６Ｄ寄りの箇所にわたり指掛け用の凹部５６が設けられている。
凹部５６は下面の幅方向の中央部で親指を除く４本の指が掛けられる深さおよび幅並びに長さで形成されている。
凹部５６の前端５６０２は、指が掛けやすいように、他の箇所よりも大きな寸法の深さで設けられている。
このような凹部５６を設けることで、載置面２に載置された電子機器１０を把持する際には、載置面２と凹部５６との間に形成された隙間に親指を除く４本の指を簡単に挿入することができ、４本の指を凹部５６の底面に当て付けるとともに、親指をパネルケース２６の外面２６Ａに当て付けることで電子機器１０を簡単に把持することができ、電子機器１０の取り扱いを簡単に行う上で有利となる。
特にこのような凹部５６が設けられていない場合には、載置面２と筐体１６の下面１６Ｂとの間に隙間がほとんど形成されていないため、電子機器１０を把持する際には、両手を用いて筐体１６の左右の側面を掴む必要があり取り扱いが不便であるのに対し、本実施の形態のように凹部５６を設けると、凹部５６を利用することにより片手で電子機器１０を把持でき電子機器１０の取り扱いを簡単に行う上でより一層有利となる。
【００１８】
次に、第１、第２のバッテリー３２Ａ、３２Ｂのバッテリー装着部３０に対する装脱動作について説明する。
まず、第１のバッテリー３２Ａをバッテリー装着部３０に装着する場合について説明する。
図１３（Ａ）に示すように、第１のバッテリー３２Ａのバッテリー側接続端子３４Ａを機器側接続端子４２Ａに臨ませつつ、第１のバッテリー３２Ａの底面３４０２Ａをバッテリー装着用凹部４０の底壁４００４に当て付ける。
２つの係合部材４６Ａ、４６Ｂは、それらの係合部４６０２Ａ、４６０２Ｂが第１のバッテリー３２Ａの底面３４０２Ａに当接し押圧されることによってコイルスプリング５４の付勢力に抗してバッテリー装着用凹部４０から第１係合部材用孔４０１０内にそれぞれ没入される。
次いで、第１のバッテリー３２Ａのバッテリー側接続端子３６Ａを一方の機器側接続端子４２Ａに向けた状態で、第１のバッテリー３２Ａのケース３４Ａの底面３４０２Ａを底壁４００４に当て付けつつ一方の機器側接続端子４２Ａに向けてスライドさせる。
これにより、２つの第１ガイド壁４４０２が、第１のバッテリー３２Ａの４つのガイド溝３８Ａのうち、バッテリー側接続端子３６Ａに近い側の２つのガイド溝３８Ａに係合し、第１のバッテリー３２Ａのバッテリー装着用凹部４０の高さ方向および深さ方向における移動が不能とされた状態で第１のバッテリー３２Ａが一方の機器側接続端子４２Ａへ移動し、やがて第１のバッテリー３２Ａのバッテリー側接続端子３６Ａと一方の機器側接続端子４２Ａとが装着される。
そして、図１３（Ｂ）に示すように、第１のバッテリー３２Ａのバッテリー側接続端子３６Ａと一方の機器側接続端子４２Ａとが装着された状態で、一方の係合部材４６Ａが突出して第１のバッテリー３２Ａの幅方向の両端のうちバッテリー側接続端子３６Ａと反対側に位置する側の端面に係合する。
これにより、一方の機器側接続端子４２Ａに装着された状態で第１のバッテリー３２Ａがバッテリー装着用凹部４０の幅方向で機器側接続端子４２Ａから外れる方向への第１のバッテリー３２Ａの移動が阻止され、第１のバッテリー３２Ａのバッテリー装着部３０への装着状態が保持される。
この際、他方の係合部材４６Ｂはその係合部４６０２Ｂが第１のバッテリー３２Ａのケース３４Ａの底面３４０２Ａに当接することでコイルスプリング５４の付勢力に抗して没入されており（バッテリー装着用凹部４０外に退避する方向に移動されており）、したがって、コイルスプリング５４の付勢力によって第１のバッテリー３２Ａの底面３２０２Ａを、第１ガイド壁４４０２に対して底壁４００４の裏面から表面に向かう方向に押圧し、バッテリー装着用凹部４０の高さ、幅、深さ方向における第１のバッテリー３２Ａのがたつきを防止する。
【００１９】
次に、第１のバッテリー３２Ａをバッテリー装着部３０から取り外す場合について説明する。
この場合には、操作部材５０の操作部５００２を押圧する。
すると、図１３（Ｃ）に示すように、操作部５００２とともに係止板部５００６が深さ方向に移動し、したがって、バッテリー装着用凹部４０内に突出している一方の係合部材４６Ａの係合部４６０２Ａは、係止板部５００６および係止部４６０２Ｃを介してコイルスプリング５４の付勢力に抗して、底壁４００４の裏面から離れる方向に移動し、バッテリー装着用凹部４０から第１係合部材用孔４０１０内に没入され、一方の係合部材４６Ａと第１のバッテリー３２Ａの係合が解除される。
また、一方のバッテリー３２Ａの底面３２０２Ａに当接しコイルスプリング５４の付勢力に抗してバッテリー装着用凹部４０外に退避する方向に変位されている他方の係合部材４６Ｂは、操作部材５０の操作により係止板部５００６および係止部４６０２Ｄを介してさらに退避される方向に移動され、したがって、コイルスプリング５４の付勢力による一方のバッテリー３２Ａへの押圧が解除される。
この状態で、第１のバッテリー３２Ａを把持してバッテリー装着用凹部４０の幅方向において一方の機器側接続端子４２Ａから離れる方向に向けてスライドすることで、図１３（Ａ）に示すように、２つの第１ガイド壁４４０２と、２つのガイド溝３８Ａとの係合が解除されるとともに、第１のバッテリー３２Ａのバッテリー側接続端子３６Ａが一方の機器側接続端子４２Ａから外れる。
これにより、第１のバッテリー３２Ａのバッテリー装着用凹部４０の高さ方向および深さ方向における移動が可能となるので、第１のバッテリー３２Ａをバッテリー装着部３０から取り外す。
【００２０】
次に、第２のバッテリー３２Ｂをバッテリー装着部３０に装着する場合について説明する。
第２のバッテリー３２Ｂのバッテリー側接続端子３４Ｂを機器側接続端子４２Ｂに臨ませつつ、第２のバッテリー３２Ｂの底面３４０２Ｂをバッテリー装着用凹部４０の底壁４００４に当て付ける。
２つの係合部材４６Ａ、４６Ｂは、それらの係合部４６０２Ａ、４６０２Ｂが第２のバッテリー３２Ｂの底面３４０２Ｂに当接し押圧されることによってコイルスプリング５４の付勢力に抗してバッテリー装着用凹部４０から第１係合部材用孔４０１０内にそれぞれ没入される。
次いで、第２のバッテリー３２Ｂのバッテリー側接続端子３６Ｂを他方の機器側接続端子４２Ｂに向けた状態で、第２のバッテリー３２Ｂのケース３４Ｂの底面３４０２Ｂを底壁４００４に当て付けつつ他方の機器側接続端子４２Ｂに向けてスライドすることで、２つの第２ガイド壁４４０４および２つの第３ガイド壁４４０６が、第２のバッテリー３２Ｂの６つのガイド溝３８Ｂのうち、バッテリー側接続端子３６Ｂに近い側の２つのガイド溝３８Ｂおよびその２つのガイド溝３８Ｂに隣接する２つのガイド溝３８Ｂにそれぞれ係合し、これにより第２のバッテリー３２Ｂのバッテリー装着用凹部４０の高さ方向および深さ方向における移動が不能とされた状態で第２のバッテリー３２Ｂが他方の機器側接続端子４２Ｂへ移動し、やがて第２のバッテリー３２Ｂのバッテリー側接続端子３６Ｂと他方の機器側接続端子４２Ｂとが装着される。
そして、第２のバッテリー３２Ｂのバッテリー側接続端子３６Ｂと他方の機器側接続端子４２Ｂとが装着された状態で、他方の係合部材４６Ｂが突出して第２のバッテリー３２Ｂの幅方向の両端のうちバッテリー側接続端子３６Ｂと反対側に位置する側の端面に係合し、他方の機器側接続端子４２Ｂに装着された状態で第２のバッテリー３２Ｂがバッテリー装着用凹部４０の幅方向で機器側接続端子４２Ｂから外れる方向への第２のバッテリー３２Ｂの移動が阻止され、これにより第２のバッテリー３２Ｂのバッテリー装着部３０への装着状態が保持される。
この際、一方の係合部材４６Ａはその係合部４６０２Ａがコイルスプリング５４の付勢力に抗して第２のバッテリー３２Ｂの底面３２０２Ｂにより没入されており（バッテリー装着用凹部４０外に退避する方向に移動されており）、したがって、コイルスプリング５４の付勢力によって第２のバッテリー３２Ｂの底面３２０２Ｂを、第２、第３ガイド壁４４０４、４４０６に対して底壁４００４の裏面から表面に向かう方向に押圧し、バッテリー装着用凹部４０の高さ、幅、深さ方向における第２のバッテリー３２Ｂのがたつきを防止する。
【００２１】
次に、第２のバッテリー３２Ｂをバッテリー装着部３０から取り外す場合について説明する。
この場合には、操作部材５０を操作部材用孔４００６の深さ方向に向けて押圧する。
すると、操作部材５０とともに係止板部５００６が深さ方向に移動し、したがって、バッテリー装着用凹部４０内に突出している他方の係合部材４６Ｂの係合部４６０２Ｂは、係止板部５００６および係止部４６０２Ｄを介してコイルスプリング５４の付勢力に抗して、底壁４００４の表面から裏面に向かう方向に移動し、バッテリー装着用凹部４０から第１係合部材用孔４０１０内に没入され、他方の係合部材４６Ｂと第２のバッテリー３２Ｂの係合が解除される。
また、他方のバッテリー３２Ｂの底面３２０２Ｂに当接しコイルスプリング５４の付勢力に抗してバッテリー装着用凹部４０外に退避する方向に変位されている一方の係合部材４６Ａは、操作部材５０の操作により係止板部５００６および係止部４６０２Ｃを介してさらに退避される方向に移動され、したがって、コイルスプリング５４の付勢力による他方のバッテリー３２Ａへの押圧が解除される。
この状態で、第２のバッテリー３２Ｂを把持してバッテリー装着用凹部４０の幅方向において他方の機器側接続端子４２Ｂから離れる方向に向けてスライドすることで、２つの第２ガイド壁４４０４および２つの第３ガイド壁４４０６と、２つのガイド溝３８Ａおよび２つのガイド溝３８Ｂとの係合が解除されるとともに、第２のバッテリー３２Ｂのバッテリー側接続端子３６Ｂと他方の機器側接続端子４２Ｂとの装着が解除される。
これにより、第２のバッテリー３２Ｂのバッテリー装着用凹部４０の高さ方向および深さ方向における移動が可能となるので、第２のバッテリー３２Ｂをバッテリー装着部３０から取り外す。
【００２２】
以上説明したように本実施の形態によれば、バッテリー装着部３０のバッテリー装着用凹部４０内に互いに独立して出没可能に２つの係合部材４６Ａ、４６Ｂを設け、２つの係合部材４６Ａ、４６Ｂのうちの一方の係合部材が２種類のバッテリー３２Ａ、３２Ｂのうちの一方のバッテリーに係合してバッテリー側接続端子が一方の機器側接続端子から外れる方向への一方のバッテリーの移動を阻止し、２つの係合部材４６Ａ、４６Ｂのうちの他方の係合部材が、２種類のバッテリー３２Ａ、３２Ｂのうちの他方のバッテリーに係合してバッテリー側接続端子が他方の機器側接続端子から外れる方向への他方のバッテリーの移動を阻止するようにした。
したがって、２種類のバッテリー３２Ａ、３２Ｂの双方をバッテリー装着部３０に確実に装着でき、電子機器１０を携帯する際のバッテリーの装着状態の安定性の向上を図り、バッテリー側接続端子と機器側接続端子との接続状態を確実に保持する上で有利となり、また、係合部材４６Ａ、４６Ｂのバッテリーへの係合を解除するだけでバッテリーをバッテリー側接続端子が機器側接続端子から外れる方向への移動を可能とすることができるため、バッテリー装着部３０からバッテリーを取り外す際の操作性の向上を図る上で有利となる。
また、バッテリー装着部３０にバッテリーが装着された状態で、２つの係合部材４６Ａ、４６Ｂのうちバッテリーに係合していない方の係合部材がバッテリーを押圧するので、バッテリー装着部３０に装着されているバッテリーのがたつきを抑制でき電子機器１０を携帯する際のバッテリーの装着状態の安定性の向上を図る上でより有利となる。
特に、バッテリー装着部３０に装着されているバッテリーのがたつきを抑制するために専用部材を設けることなく、２つの係合部材４６Ａ、４６Ｂのうちバッテリーに係合していない係合部材でバッテリーのがたつきを抑制することができるので、バッテリーの装着状態の安定性の向上を図りつつ部品点数の削減を図れ、電子機器１０の小型化およびコストダウンを図る上でも有利となる。
また、本実施の形態によれば、単一の操作部材５０を操作することで、２つの係合部材４６Ａ、４６Ｂをバッテリー装着用凹部４０内からバッテリー装着用凹部４０外へ退避するように構成したので、バッテリーをバッテリー装着部３０から取り外す際には、装着されているバッテリーの種類に拘わらず、単一の操作部材５０のみを操作すればよく操作性の向上を図る上で有利となる。
【００２３】
なお、本実施の形態では、第１、第２のバッテリー３２Ａ、３２Ｂは、それらのケース３４Ａ、３４Ｂの高さと奥行きが互いに同一寸法であり、幅が異なる寸法で形成されており、かつ、第１、第２のバッテリー３２Ａ、３２Ｂのそれぞれのバッテリー側接続端子３６Ａ、３６Ｂの形状と配置位置が異なっている場合について説明した。
しかしながら、本発明は、２種類のバッテリーのケースの寸法が互いに同一であるか否か、あるいは、２種類のバッテリーのバッテリー側接続端子の形状や配置位置が互いに同一であるか否かに拘わらず、ケースの形状や端子形状が異なる２種類のバッテリーが選択的に装着されるバッテリー装着部を有する電子機器であれば適用可能である。
また、本実施の形態では、電子機器１０が携帯型のビデオテープレコーダである場合について説明したが、本発明は２種類のバッテリーを用いる種々の電子機器に広く適用可能であることは無論である。
【図面の簡単な説明】
【００２４】
【図１】本実施の形態の電子機器１０のディスプレイパネルを開いた状態を示す斜視図である。
【図２】電子機器１０のディスプレイパネルを閉じた状態を示す斜視図である。
【図３】電子機器１０のバッテリー装着部３０を示す斜視図である。
【図４】バッテリー装着部３０と第１のバッテリー３２Ａの斜視図である。
【図５】バッテリー装着部３０と第２のバッテリー３２Ｂの斜視図である。
【図６】バッテリー装着部３０の要部の拡大斜視図である。
【図７】バッテリー装着部３０の分解斜視図である。
【図８】バッテリー装着部３０の分解斜視図である。
【図９】操作部材５０近傍の斜視図である。
【図１０】操作部材５０近傍の平面図である。
【図１１】バッテリー装着部３０の縦断面図である。
【図１２】図１１のＡＡ線断面図である。
【図１３】（Ａ）、（Ｂ）、（Ｃ）はバッテリーの装脱動作の説明図である。
【図１４】電子機器１０の筐体１６の縦断面図である。
【図１５】電子機器１０を把持する場合の説明図である。
【図１６】電子機器１０を把持した場合の斜視図である。
【図１７】（Ａ）、（Ｂ）は従来の電子機器におけるバッテリー装着部９２の説明図である。
【符号の説明】
【００２５】
１０……電子機器、３２Ａ……第１のバッテリー、３２Ｂ……第２のバッテリー、３０……バッテリー装着部、４０……バッテリー装着用凹部、４２Ａ、４２Ｂ……機器側接続端子、４６Ａ、４６Ｂ……係合部材。
【図１】
2008311105.tif 000003
【図２】
2008311105.tif 000004
【図３】
2008311105.tif 000005
【図４】
2008311105.tif 000006
【図５】
2008311105.tif 000007
【図６】
2008311105.tif 000008
【図７】
2008311105.tif 000009
【図８】
2008311105.tif 000010
【図９】
2008311105.tif 000011
【図１０】
2008311105.tif 000012
【図１１】
2008311105.tif 000013
【図１２】
2008311105.tif 000014
【図１３】
2008311105.tif 000015
【図１４】
2008311105.tif 000016
【図１５】
2008311105.tif 000017
【図１６】
2008311105.tif 000018
【図１７】
2008311105.tif 000019